(57)【要約】    【課題】本発明の課題は、照明効果により、ショーケースを目立つようにして、販売促進を図ることにある。    【解決手段】ケース本体の前面上部を覆うキャノピ部と、キャノピ部の内側に照明装置を保持するライトレールと、キャノピ部前面下端に照明装置により照らさせる光透過板とを設けてなるオープンショーケースにおいて、照明装置は、前記キャノピ部前面下端位置より上方に配置してなる。【選択図】      図１
2007075340.tif 000002
【特許請求の範囲】
【請求項１】
ケース本体の前面上部を覆うキャノピ部と、キャノピ部の内側に照明装置を保持するライトレールと、キャノピ部前面下端に照明装置により照らさせる光透過板とを設けてなるオープンショーケースにおいて、照明装置は、前記キャノピ部前面下端位置より上方に配置してなることを特徴とするオープンショーケース。
【請求項２】
ケース本体の前面上部を覆うキャノピ部と、キャノピ部の内側に照明装置を保持するライトレールと、キャノピ部前面下端に照明装置により照らさせる光透過板とを設けてなるオープンショーケースにおいて、前記キャノピ部の前面板の下端部に設けられる受け部と、ライトレールの先端部分に設けられる保持部とを備え、前記光透過板を前記保持部と受け部とによりキャノピ部に吊下げ支持することを特徴とするショーケース。
【請求項３】
請求項２記載のショーケースにおいて、照明装置は、前記キャノピ部前面下端位置より上方に配置してなることを特徴とするオープンショーケース。
【請求項４】
請求項１ないし３いずれかに記載のショーケースにおいて、ショーケースを複数台連結した際に、光透過板の位置を同一高さに揃えて配置することを特徴とするショーケース。
【発明の詳細な説明】
【技術分野】
【０００１】
本発明は、ケース本体の前面上部に設けたキャノピ部に照明を設け、前面および陳列商品を照射するようにしたショーケースに関するものである。
【背景技術】
【０００２】
商品陳列棚に商品を陳列するショーケースでは、販売促進を考慮した場合、ケース全体を目立つように照明効果を利用した構成が知られている。
このため従来では、商品を保冷するオープンショーケースにおいて、ケース本体の前面上部を覆うキャノピ部に光を透過する電照板を設け、その内側に蛍光灯を取り付け金具により取り付けた構成が知られている。
このように構成することで、電照板を後方から蛍光灯により照らし、電照板を通して光を前面に映し出すことでケース本体を目立つようにした構成が知られている（例えば、特許文献１参照）。
【特許文献１】特開平１１−２９０１６５号公報
【発明の開示】
【発明が解決しようとする課題】
【０００３】
しかしながら、上記のように構成したショーケースでは、電照板に蛍光灯の取り付け金具の影が映ってしまい、利用者から見て必ずしも見映えが良いとはいえないのが実情である。
本発明は、上記実情に鑑みて、キャノピ部の照明による効果をより高めることのできるショーケースを提供することを目的とする。
【課題を解決するための手段】
【０００４】
上記の目的を達成するために、本発明の請求項１に係るショーケースは、ケース本体の前面上部を覆うキャノピ部と、キャノピ部の内側に照明装置を保持するライトレールと、照明装置により照らさせる光透過板とを設けてなるオープンショーケースにおいて、照明装置は、前記キャノピ部前面下端位置より上方に配置してなることを特徴とする。
また、ケース本体の前面上部を覆うキャノピ部と、キャノピ部の内側に照明装置を保持するライトレールと、キャノピ部前面下端に照明装置により照らさせる光透過板とを設けてなるオープンショーケースにおいて、前記キャノピ部の前面板の下端部に内側に折り返し形成してなるフック部と、ライトレールの先端部分に設けられる保持部とを備え、この保持部とフック部との間に隙間とを設け、この隙間に前記光透過板を差し込み、前記保持部とフック部とによりキャノピ部に吊下げ支持することを特徴とし、しかも、照明装置は、前記キャノピ部前面下端位置より上方に配置してなることを特徴とする。
【０００５】
さらに、ショーケースを複数台連結した際に、光透過板の位置を同一高さに揃えて配置することを特徴とする。
【発明の効果】
【０００６】
本発明によれば、照明装置を前記キャノピ部前面下端位置より上方に配置することで、照明取り付け金具の影が光透過板を通して前面に映らないため、見映えが良くなり、しかも、複数台のショーケースを連結した際には、光透過板が一直線にて照らし出されることで、よりショーケースを目立たすことが可能となり、販売促進を図ることが可能となる。
【発明を実施するための最良の形態】
【０００７】
図１は、本発明の実施の形態であるショーケースの要部拡大図を示したものであり、図２は、本発明の対象となるショーケースの一例を示すものである。
ここで例示するショーケースは、スーパーマーケット等の店舗において冷凍食品や生鮮食品等の商品を陳列販売するためのケースであり、図２において、１はショーケースのケース本体であり、前面を開放した外箱１ａと内箱１ｂとの間には、内箱１ｂの外周を取り囲んで内外二重の冷気循環通風路を形成するようにインナーダクト２、アウターダクト３が画成されており、かつインナーダクト２、アウターダクト３に連ねてケース本体１の前面開口部の上部側にはエアカーテン吹出口２ａ、３ａが、下部側にはエアカーテン吸込口２ｂ，３ｂが開口している。インナーダクト２には、冷却器（冷凍機のエバポレータ）４、インナーファン５が、アウターダクト３には、アウターファン６が配備されており、エアカーテン吹出口２ａ、３ａにはそれぞれハニカム整流体７が組み込まれている。
【０００８】
また、ケース本体１の庫内８には、上下多段の商品陳列棚９が設けられ、庫内８の天井部には蛍光灯８ａが、各商品陳列棚９の棚下には蛍光灯９ａが、それぞれ設けられている。
さらに、ケース本体１の前面上部には、キャノピ部１０が設けられ、このキャノピ部１０の下部に前面および陳列商品を照射する蛍光灯１１が前後に２本設けられている。
次に、上記キャノピ部１０の構成について、図１に示すように、ケース本体１の上縁部には、この部分を覆うように、キャノピフロントパネル１０ａがねじ１２により取り付けられている。キャノピフロントパネル１０ａはケース本体１の横方向全幅に渡る鋼板製の化粧枠で下端部先端が内側に折り曲げられてなる受け部１０ｂが形成されている。
このキャノピフロントパネル１０ａの内側には、蛍光灯１１を支持するライトレール１３が取り付けられている。ライトレール１３はケース本体１の横方向全幅に渡る鋼板製からなり、ライトレール１３の前面先端部を立上げてなる保持部１３ａが形成され、また、このライトレール１３の保持部１３ａと逆方向に立ち下げてなる保持部１４がねじ１２により取り付けられている。
【０００９】
このキャノピフロントパネル１０ａの受け部１０ｂとライトレール１３の保持部１３ａ，１４との間には、例えば、半透明の樹脂板からなる光透過板１５が挿入可能な隙間が設けられている。
この光透過板１５はケース本体の横方向全幅に渡るように形成され、光透過板１５の上部には、ライトレール１３の保持部１３ａと係合するフック片１５ａ、キャノピフロントパネル１０ａの受け部１０ｂと係合するフック片１５ｂ、保持部１４と係合するフック片１５ｃがそれぞれ設けられている。このフック片１５ａ，１５ｂ，１５ｃは、光透過板１５と一体成型にて形成されている。
このように、光透過板１５は、隙間に挟み込まれ、フック片１５ａ，１５ｂ，１５ｃと保持部１３ａ，受け部１０ｂ，保持部１４とが係合することにより、吊下げ支持され、キャノピフロントパネル１０ａの下端に保持されるものである。
【００１０】
蛍光灯１１は、ランプホルダ１６に保持され、ランプホルダ１６を介してライトレール１３に取り付けられるものであり、図１の破線Ａ−Ａ線にて示すように、蛍光灯１１はキャノピフロントパネル１０ａの下端より上方に位置するように配設されるものである。
なお、１７は反射板であり、陳列商品を明るく照らしたい場合など、必要に応じて取り付けられるものである。
上記のように構成したショーケースの保冷運転時には、図示しない冷凍機を駆動し、冷却器４によって冷却された冷気がインナーファン５によってインナーダクト２に循環送風され、アウターファン６によってアウターダクト３にインナーダクト２に内より若干高い温度の冷気が循環送風され、エアカーテン吹出口２ａ，３ａのハニカム整流体７を通じてケース本体１の前面開口部に内外二層のエアカーテンを吹出形成し、庫内８の商品陳列棚９に陳列した商品を保冷する。
【００１１】
一方、庫内８天井部の蛍光灯８ａと各商品陳列棚９の蛍光灯９ａとを点灯すると、庫内８および各商品陳列棚９上の商品が蛍光灯８ａ，８ｂの照射により明るく照らし出され、かつ、キャノピ部１０の蛍光灯１１を点灯すると、光透過板１５を通して、ショーケースの前方が明るく照らし出されるとともに、庫内８および商品陳列棚９にも照射されて、陳列した商品が明るく照らし出されることになる。
ここで、上記ショーケースでは、ケース本体１のキャノピ部１０において、蛍光灯１１は、キャノピフロントパネル１０ａの下端より上方に配設されることで、光透過板１５を後方から照射しても、光透過板１５から蛍光灯１１のランプホルダ１６の影が映し出される可能性がなくなる。
すなわち、蛍光灯１１の光を透過する光透過板１５の背後ではなく、光を透過しないキャノピフロントパネル１０ａの背後に蛍光灯１１を配設する。
【００１２】
この結果、ショーケースの見栄えが良くなり、購買客の購買意欲をより大きなものとし、商品販売数の増大を期待できる。
なお、ショーケースを複数台並べて配置するときには、光透過板１５の高さ位置を揃えることで、照明に連続感が出ることにより、より展示効果が向上する。
【図面の簡単な説明】
【００１３】
【図１】本発明の実施の形態であるショーケースの要部拡大側面図である。
【図２】本発明の対象となるショーケースの側面図である。
【符号の説明】
【００１４】
１        ケース本体
９        商品陳列棚
１０      キャノピ部
１０ａ    キャノピフロントパネル
１１      蛍光灯
１３      ライトレール
１５      光透過板
【図１】
2007075340.tif 000003
【図２】
2007075340.tif 000004